(57)【要約】【解決課題】  肛門部の洗浄液に所定の殺菌薬を適宜選択して注入することによって肛門の洗浄と同時に殺菌を施すことができる。０．０１％程度の希釈濃度でも殺菌作用が極めて強いので、肛門の殺菌を効果的に実施することができ、大腸菌などの二次感染の惧れを完全に解消することができる。【解決手段】  水源とシスタンクと便座の間に洗浄ノズルを備えた水洗便器において、薬液タンク、計量弁及び薬液噴霧ノズルを備えた肛門の洗浄殺菌装置。【選択図】    図１
2005188245.tif 000002
【特許請求の範囲】
【請求項１】
水源、シスタンク、制御箱及び洗浄ノズルを備えた水洗便器において、複数の薬液タンクを備え、一方の薬液タンクを計量用弁を介して制御箱内の洗浄液タンクに供給すると共に前記洗浄ノズルに接続し、他方の薬液タンクをポンプを介して薬液噴霧ノズルに接続し、薬液を注入又は噴霧可能としたことを特徴とする肛門の洗浄殺菌装置。
【請求項２】
請求項１において、洗浄ノズルに通じる配管部及び／又は薬液噴霧ノズルに通じる配管に加熱装置を備え、流出する薬液を加熱して噴出又は噴霧可能としたことを特徴とする肛門の洗浄殺菌装置。
【請求項３】
請求項１又は２において、便座への着座を検知して、流出する薬剤を定量補給することを特徴とする肛門の洗浄殺菌装置。
【請求項４】
請求項３において、便座位置への着座を、便座の近傍に配置した発信器、受信器で構成された着座スイッチによって検出することを特徴とする肛門の洗浄殺菌装置。
【請求項５】
請求項１又は２において、便座位置に着座した状態で、定量補給する薬剤を手許の制御機器によって制御可能としたことを特徴とする肛門の洗浄殺菌装置。
【請求項６】
水源とシスタンクと便座の間に洗浄ノズルを備えた水洗便器において、薬液タンク、計量弁、制御箱内の洗浄液タンク及び洗浄ノズルによって、塩化ベンザルコニウムの１０W／V％液、又は塩化ベンセトニウムの１０W／V％液を、３０倍〜１０００倍に水で希釈した溶液を噴射し、肛門を洗浄殺菌する方法。
【請求項７】
水源とシスタンクと便座の間に洗浄ノズルを備えた水洗便器において、薬液タンク、計量弁、制御箱内の洗浄液タンク及び洗浄ノズルによって、１０W/V%塩化ベンザルコニウムの液又は１０W/V%塩化ベンセトニウムの液と、両性（イオン）界面活性剤の１０％アルキルジアミノエチルグリシン塩酸塩とを2対１の割合で混合し、それを３０倍〜１０００倍に水で希釈した溶液を噴射し、肛門を洗浄殺菌する方法。
【請求項８】
水源とシスタンクと便座の間に洗浄ノズルを備えた水洗便器において、薬液タンク、計量弁、制御箱内の洗浄液タンク及び洗浄ノズルによって、アルキルジアミノエチルグリシン塩酸塩の０．１％〜５％の水溶液を噴射し、肛門を洗浄殺菌する方法。
【請求項９】
請求項６ないし８記載の水源とシスタンクと便座の間に洗浄ノズルを備えた水洗便器において、さらに、薬液タンク、ポンプ、薬液噴霧ノズルによって、１０W/V％塩化ベンザルコニウム又は１０W/V％塩化ベンセトニウムと、９９．５％エタノールと、水をそれぞれ、0.1対７９．９対２０の割合で混合した液を、少量霧状に噴射可能とし、肛門を洗浄殺菌する方法。
【発明の詳細な説明】
【技術分野】
【０００１】
本発明は洗浄殺菌装置及びその洗浄殺菌方法に係り、特に肛門の洗浄殺菌装置と洗浄殺菌方法に係るものである。
【背景技術】
【０００２】
一般に、人の大腸の中には１００兆個の菌がいて、排出された大便（以下「便」という。）1グラムの中に３０００億から５０００億個の菌が含まれるといわれている。
従来から、赤痢、コレラ、大腸菌、O１５７などの感染症は、患者や健康保菌者の便から二次感染の結果として感染するおそれがあり、便を排出した後の肛門を、例えばウオシュレット等により、温湯で洗浄する方法があるが、洗浄が不完全なときや、洗浄水が飛び散ったときには、感染症の菌や大腸菌が肛門の周囲や、便座、床、スリッパ、手、衣類、トイレのドアのノブなどを介して健康な人に二次感染を起こす危険があるため、トイレで用便のあと、肛門をトイレットペーパーで拭き取るとき、手に菌をつけなくするには、40枚も紙を重ねるなど対応策が必要があるなど、対応が煩雑であり、また忘れがちなものであった。
【特許文献１】なし
【発明の開示】
【発明が解決しようとする課題】
【０００３】
本発明は、上記に事情に鑑み、ウオシュレット等により、常温又は温湯で洗浄したときに、洗浄が不完全になったり、洗浄水が飛び散った場合であっても、自動的に、あるいは半自動的に肛門の周囲を殺菌する工夫を施すことによって、用便後の二次感染を完全に防止することによって、感染症の菌や大腸菌が肛門の周囲や、便座、床、スリッパ、手、衣類、トイレのドアのノブなどを介して健康な人に二次感染を起こさないようして問題を解決するものである。
【課題を解決するための手段】
【０００４】
本発明は、水源、シスタンク、制御箱及び洗浄ノズルを備えた水洗便器において、複数の薬液タンクを備え、一方の薬液タンクを計量用弁を介して制御箱内の洗浄液タンクに供給すると共に前記洗浄ノズルに接続し、他方の薬液タンクをポンプを介して薬液噴霧ノズルに接続し、薬液を注入または噴霧可能とした肛門の洗浄殺菌装置を提供する。
【０００５】
また、洗浄ノズルに通じる配管部及び／又は薬液噴霧ノズルに通じる配管に加熱装置を備え、流出する薬液を加熱して噴出又は噴霧可能としたり、便座への着座を検知して、流出する薬剤を定量補給したり、さらに、便座位置に着座した状態で、定量補給する薬剤を手許の制御機器によって制御可能とした肛門の洗浄殺菌装置を提供する。
【０００６】
本発明は、水源、シスタンク、制御箱及び洗浄ノズルを備えた水洗便器において、薬液タンク、計量弁、制御箱内の洗浄液タンク及び洗浄ノズルによって、塩化ベンザルコニウムの１０W／V％液、又は塩化ベンセトニウムの１０W／V％液を、３０倍〜１０００倍に水で希釈した溶液を噴射し、肛門を洗浄殺菌したり、１０W／V％塩化ベンザルコニウムの液又は１０W／V％塩化ベンセトニウムの液と、両性（イオン）界面活性剤の１０％アルキルジアミノエチルグリシン塩酸塩とを2対１の割合で混合し、それを３０倍〜１０００倍に水で希釈した溶液を噴射し、肛門を洗浄殺菌したり、アルキルジアミノエチルグリシン塩酸塩の０．１％〜５％の水溶液を噴射し、肛門を洗浄殺菌する方法を提供し、また、水源とシスタンクと便座の間に洗浄ノズルを備えた水洗便器において、さらに、薬液タンク、ポンプ、薬液噴霧ノズルによって、１０W/V％塩化ベンザルコニウム又は１０W/V％塩化ベンセトニウムと、９９．５％エタノールと、水とをそれぞれ、0.1対７９．９対２０の割合で混合した液を少量霧状に噴射可能とし、肛門を洗浄殺菌する方法を提供する。
【発明の効果】
【０００７】
以上、本発明によれば、肛門部の洗浄液に所定の殺菌薬を適宜選択して注入することによって肛門の洗浄と同時に殺菌を施すことができる。
A液、B液は、０．０１％程度の希釈濃度でも殺菌作用が極めて強いので、肛門の殺菌を効果的に実施することができ、大腸菌などの二次感染の惧れを完全に解消することができる。また、これらの液は殺菌力が強いので、多くの栄養型細菌を短時間で殺菌することができる。そして、高温ほど殺菌力が強くなるので、加熱により温めて使用することがより好ましい。
【０００８】
本発明において使用する薬剤は、無色、無味無臭で毒性が少なく、皮膚、粘膜、創傷面に対する刺激もなかったので、肛門に使用しても問題は生じなかった。長期貯蔵、煮沸、加圧、加温によっても、殺菌力は低下することはなかった。水溶液によって、衣服を汚染することもなかった。
【発明を実施するための最良の形態】
【０００９】
図１に示すように、開閉弁（図示省略）、フロート弁によりレベル制御されるシスタンク２は水源１に接続され、このシスタンクから便器に放水される。また、洗浄ノズル８aが制御装置７aの洗浄液タンク（図示省略）を通じて水源１に接続されている。
【００１０】
本発明においては、洗浄ノズルを備えた水洗便器において、複数の薬液タンク３、４を備え、一方の薬液タンク３から計量用弁５を介して制御箱７a内の洗浄液タンク（図示省略）に薬液を供給すると共に洗浄液タンクを前記洗浄ノズル8ａに接続して薬液を含んだ洗浄液を洗浄ノズルから噴出する。
【００１１】
洗浄ノズルによる洗浄後、肛門周辺を含めて殺菌効果を一層高めるために、他方の薬液タンク４をポンプPを介して薬液噴霧ノズル８bに接続し、薬液を薬液噴霧ノズル８bから噴霧可能となっている。
【００１２】
本発明においては、また、便座の両側に配置される、洗浄液タンクを兼ねた制御箱７aに発信器S1が配設され、その対抗位置に配置された制御箱７bに受信器S2が配設され、着座検知スイッチSを形成している。この着座検知スイッチSが作動すると、計量弁５が作動し一定量の薬剤が噴出可能となる。
【００１３】
計量弁の動作回数によって、殺菌する薬液の噴出量を計量するように制御することも可能である。この回数は、制御パネル１０の適宜のスイッチにより操作され得る。
便器の洗浄、肛門の洗浄、薬液の噴出等の制御は、制御パネル１０の各押しボタンによって自由に選択制御できる。
【００１４】
他方の薬液タンク４をポンプPを介して薬液噴霧ノズル８bに接続し、薬液を噴霧可能としている。これは、洗浄ノズルによる洗浄後、肛門周辺を含めて殺菌効果を一層高めるためである。
【００１５】
以上の構成によって、便座９に着座すると、スイッチSの作用で薬液タンク３から薬剤が自動的に制御箱７aを兼ねた洗浄液タンクに注入され、これによって洗浄液が洗浄液タンク内に確保され待機状態に維持されている。したがって、押しボタンを操作して、洗浄ノズルから肛門周辺に洗浄液を噴射すると、所定の殺菌洗浄液によって、肛門の周囲は完全に洗浄殺菌される。
【００１６】
さらに、便座９への着座により、ポンプPを稼動し、他方の薬液タンク４から薬液噴霧ノズル８bへ薬液を供給し、薬液噴霧ノズル８bから噴霧することによって、洗浄ノズルによる洗浄後の肛門周辺の殺菌効果を一層高めることもできる。
【００１７】
殺菌薬液としては、A液；塩化ベンザルコニウムの１０W／V％液、B液；塩化ベンセトニウムの１０W／V％液が好ましく、C液；アルキルジアミノエチルグリシン塩酸塩の１０％液、D液；エタノール７０〜８２％液、E液；その他の殺菌消毒薬、例えば、次亜塩素酸ナトリウム、クレゾール石鹸、石炭酸、昇水、ホルマリン、過酸化水素、ヨードチンキ、塩化ベンゼトニウム、クロールヘキシジンホルマリン、の一つを選択して使用することができる。
【実施例１】
【００１８】
便座９に座り、手動で制御パネル１０のボタンを操作し、これによって、薬剤タンク３
から洗浄液タンク（７a）に混入する薬剤の量を適当に調節することもできる。
【実施例２】
【００１９】
薬液タンク３からの洗浄液タンクへの供給は、エジェクタポンプ機構を採用することによって、操作パネル１０の押しボタン操作によって洗浄ノズル8ａから噴射するとき、負圧ポンプ作用で行うことができ、薬液を洗浄液タンクに吸引混入し、洗浄ノズル８aから噴射するようにすることができる。
【実施例３】
【００２０】
排便後の肛門及び肛門周囲を、通常の温湯のみで又は上記の殺菌洗浄した後、さらに１０W/V％塩化ベンザルコニウム又は１０W/V％塩化ベンセトニウムと、９９．５％エタノールと、水をそれぞれ、0.1対７９．９対２０の割合で混合した液を、少量霧状に噴霧すると、洗浄効果、殺菌効果を高めることができ、速乾性もある。
【実施例４】
【００２１】
排便後の肛門にA液；塩化ベンザルコニウムの１０W／V％液、又はB液；塩化ベンセトニウムの１０W／V％液を、３０倍〜１０００倍に水で希釈した溶液を噴射し殺菌する。この場合、加熱装置６によって加温すると一層殺菌効力を高めることができる。これによって、噴射時に飛び散った細菌を含む便の洗浄液は薬剤によって殺菌される。
【実施例５】
【００２２】
排便後の肛門にC液；両性（アルキルジアミノエチルグリシン塩酸塩の０．１％〜５％の水溶液を噴射し、肛門及びその周囲の有機物を洗浄し同時に殺菌する。殺菌効果は実施例４と同様である。
【実施例６】
【００２３】
排便後の肛門にA液；塩化ベンザルコニウムの液又はB液；塩化ベンセトニウムの液と、両性（イオン）界面活性剤のアルキルジアミノエチルグリシン塩酸塩とを2対１の割合で混合し、３０倍〜１０００倍に水で希釈した溶液を噴射する。この場合も、加温すると一層効力を高めることができ、噴射時に飛び散った細菌を含む便の洗浄液はこれらの薬剤によって殺菌される。
【実施例７】
【００２４】
便座に座るときを検出し、これによって適宜自動的にスイッチが入るようにし、薬剤容器から計量された薬剤が混入するようにできる。自動化によって一層便利にすることができる。
【図面の簡単な説明】
【００２５】
【図１】肛門洗浄装置の流水ラインを示す概要図である。
【符号の説明】
【００２６】
１    水源
２    シスタンク
３    薬液タンク
４    薬液タンク
５    計量弁
６    加熱装置
７a、７b  制御箱
８a    洗浄ノズル
８b    薬液噴霧ノズル
９    便座
１０    制御パネル
S    着座スイッチ
S1    発信器
S2    受信器
P    ポンプ
【図１】
2005188245.tif 000003